(57)【要約】  【課題】シャッター制御盤と開閉操作装置の間に中継制御装置を接続するだけで一般的な電動シャッターを容易に一斉操作が出来るようにする。  【解決手段】開閉操作装置と電動シャッターのシャッター制御盤との間に接続する中継制御装置を、三点押しボタンスイッチとＨＡ操作装置からの各入力信号部と入力信号に応じた開閉及び停止の操作信号をシャッター制御盤へ出力する複数組の出力ユニットを有するものとする。  【選択図】図３
2010007403.tif 000002
【特許請求の範囲】
【請求項１】
複数の電動シャッターを一斉操作するために、開閉操作装置とそれぞれの電動シャッターのシャッター制御盤との間に接続する中継制御装置であって、該中継制御装置には、三点押しボタンスイッチから開閉及び停止の操作信号が入力される第一入力部と、ＨＡ操作装置からシリアルデータとして開閉及び停止の操作信号が入力される第二入力部と、前記二つの入力信号に応じた開閉及び停止の操作信号をシャッター制御盤へ出力する複数組の出力ユニットを有することを特長とする電動シャッター一斉操作用の中継制御装置。
【発明の詳細な説明】
【技術分野】
【０００１】
本発明は、建物に設置された複数の電動シャッター等を一斉に開閉操作するための一斉操作用の中継制御装置に関するものである。
【背景技術】
【０００２】
電動シャッターを一斉に開閉操作する場合、古くは、建物内の各所に設置した複数の電動シャッターに対して、複数の操作スイッチを警備室等の一箇所に集めて設置して一斉操作を行っていたが、近年は、特許文献１に示すように、電動天窓（やシャッター等）の制御盤（個別制御部１５）と開閉操作装置（共通操作部２４）の間で、シリアルデータ通信を用いて開閉操作を行う方法が採用されている。また、一般住宅に設置される窓用シャッター等では、ホームオートメーション（ＨＡ）と呼ばれる、電灯線回路や専用回線等を用いて規格化されたシリアルデータ通信による制御方式も広く採用されている。
【特許文献１】特開平０９−３２４２０号公報
【発明の開示】
【発明が解決しようとする課題】
【０００３】
しかし、ＨＡに用いられるようなシリアルデータ通信機能を持つ高機能のシャッター用制御盤は高価であり、普及しているとは言えない。一般に普及している電動シャッターのシャッター用制御盤は、図２に示すように、シャッターカーテンの開閉を行うモータの正、逆回転を制御するための２組の電磁リレーで主要回路を構成するシンプルなもので、そこに、開閉停止を指示する三点押しボタンスイッチ、上限及び下限位置でモータを停止するリミットスイッチ、及び電磁ブレーキ付モータ等が接続されるようになっている。近年、防犯意識の高まりや高齢化などを受けて、既設のシャッター等も含めた一般的な電動シャッター、中でも一般住宅向けの電動窓シャッターなどに使用できる、シンプルな構造で使い勝手が良い一斉操作機能を有する制御装置が求められていた。
【課題を解決するための手段】
【０００４】
本発明は、上記の実情に鑑みこれらの課題を解決することを目的として創作されたものであって、請求項１の発明は、複数の電動シャッターを一斉操作するために、開閉操作装置とそれぞれの電動シャッターのシャッター制御盤との間に接続する中継制御装置であって、該中継制御装置には、三点押しボタンスイッチから開閉及び停止の操作信号が入力される第一入力部と、ＨＡ操作装置からシリアルデータとして開閉及び停止の操作信号が入力される第二入力部と、前記二つの入力信号に応じた開閉及び停止の操作信号をシャッター制御盤へ出力する複数組の出力ユニットを有することを特長とする電動シャッター一斉操作用の中継制御装置である。
【発明の効果】
【０００５】
請求項１の発明とすることにより、従来の一般的な電動シャッターにおいても開閉操作装置（三点押しボタンスイッチや開閉及び停止の操作指示が可能なＨＡ操作装置など）と複数の電動シャッターとの間に接続するだけで容易に一斉操作することが可能となった。
【発明を実施するための最良の形態】
【０００６】
つぎに、本発明の実施の形態を図面に基づいて説明する。
図１において、１は、電動シャッター１であって、ガイドレール２に左右両端を案内されるシャッターカーテン３が、上方に横架された巻取シャフト４に巻取り巻き降ろされることで開口部を開閉するようになっている。巻取シャフト４は、開閉機５（電磁ブレーキ付モータ）とチェーン連結され、三点押しボタンスイッチ６からの開閉停止信号により、開閉機５のモータが正転、逆転、停止するようになっている。ここで、７は、開閉機５の動作を制御するシャッター制御盤７であり、８は、上限及び下限位置を検知してモータを停止させるリミットスイッチ８である。
【０００７】
次に、シャッター制御盤７の回路構成と動作を説明する。図２は、一般的な電動シャッターの制御回路でもある、シャッター制御盤（電気回路図）７ａで、シャッター開放動作（ＵＰ）のための電磁リレーＲｙＵと、閉鎖動作（ＤＯＷＮ）のための電磁リレーＲｙＤを有し、三点押しボタンスイッチ６ａの開放スイッチＰＢＵが押されると、電磁リレーＲｙＵに通電され、開放スイッチＰＢＵに並列接続されたメーク接点ＲｙＵが閉じて自己保持され、同時に電源とモータ間に設けた３組のメーク接点ＲｙＵが閉じて電磁ブレーキが開放されモータが回転してシャッターカーテンが開放する。モータ及び電磁ブレーキは、停止スイッチＰＢＳが押されるか、全開位置に達して全開リミットスイッチＬＳＵが動作して回路を遮断することで停止する。閉鎖動作も電磁リレーＲｙＤ、閉鎖スイッチＰＢＤ、全閉リミットスイッチＬＳＤがそれぞれ作動して同様に行われる。
【０００８】
次に、図３は、本発明の中継制御装置１０と、それに接続される主な機器の構成図である。中継制御装置１０は、三点押しボタンスイッチ６ａが接続され、開閉及び停止の接点信号が入力される入力端子ＴＢ１とインターフェイス回路からなる第一入力部１３と、ＨＡ装置から開閉及び停止を含むシリアル信号を受信する入力端子ＴＢ２とインターフェース回路からなる第二入力部と、これらの入力信号を演算処理してドライバ回路１５を介し３組の電磁リレーＲｙＵ、ＲｙＤ、ＲｙＳを入力信号に従い動作させるＣＰＵと、また、前記電磁リレーのメーク接点、ブレイク接点を組合せて三点押しボタンスイッチの接点と同様の構成とした３組の出力ユニット１２、その出力端子ＴＢ３等で構成されている。そして、出力ユニット１２にシャッター制御盤７が配線接続されている。次にその動作について説明する。中継制御装置１０の電磁リレーＲｙＵは、三点押しボタンスイッチ６ａの開放スイッチＰＢＵを押すと通電されて３組のメーク接点が閉じ、出力ユニット１２を通して３台のシャッター制御盤７へ開放信号が送られるようになっている。また、電磁リレーＲｙＤは閉鎖スイッチＰＢＤを押している間だけ３組のメーク接点が閉じ、電磁リレーＲｙＳは停止スイッチＰＢＳを押している間だけ３組のブレイク接点が開いて、それぞれシャッター制御盤７へ、閉鎖信号、停止信号を送るようになっている。また、ＨＡ操作装置から、開放信号、閉鎖信号、又は停止信号が入力されたときも、同様に３組の電磁リレーが動作して、シャッター制御盤７へ開閉停止の所定の信号が送られるようになっている。
【０００９】
本実施例では、出力ユニットを３組としたが、２組以上であれば、４組、５組でも良いことは言うまでもない。また、中継制御装置１０には、図示しないディップスイッチを切り替えることで、第一入力部１３又は第二入力部１４のいずれを有効とするかを切り替えるようになっている。また、同様に両者を有効とつつ優先順位を設けることも可能となっている。なお、中継制御装置１０には電源他、多数の部品が組み込まれているがそれらはどのような構成のものでも良く、個々の説明を省略する。また、ＨＡ操作装置も開放、閉鎖及び停止の信号をシリアルデータで送信できるものであれば良く、詳細な説明は省略する。また、出力ユニットを電磁リレーの接点で構成したが、半導体無接点リレー等を用いても良い。また、ＨＡ操作装置から電動シャッターのアドレスを含む信号が送られる場合には、一斉動作モードに加えて、各出力ユニットが個別に動作する動作モードをディップスイッチ等で任意に切替えられるようにしたものでも良い。
【００１０】
図４は中継制御装置１０の拡張した利用法を示す事例で、三点押しボタンスイッチ６、又はＨＡ操作装置２０などの開閉操作装置を接続した、１台目の中継制御装置１０の出力ユニット１２のうち、２組をシャッター制御盤７へ接続し、１組を２台目の中継制御装置１０の第一入力部へ接続する。そして、２台目の中継制御装置の出力ユニットへシャッター制御盤を接続するようにすると、特別な装置を準備することなく、さらに多数の電動シャッターを一斉操作することができるようになる。また、２台目の中継制御装置の出力ユニットからさらに３台目の中継制御装置（第一入力部）に接続しても良く、ある１台の中継制御装置に対して複数の中継制御装置を接続しても良い。
【産業上の利用可能性】
【００１１】
本発明は、電動シャッターに用いることができる。
【図面の簡単な説明】
【００１２】
【図１】一般的な電動シャッターの正面図である。
【図２】一般的な電動シャッターの電気回路図である。
【図３】本発明の中継制御装置の要部構成と周辺機器の接続を示すブロック図である。
【図４】本発明の中継制御装置を２段に接続した場合のブロック図である。
【符号の説明】
【００１３】
１    電動シャッター
２    ガイドレール
３    シャッターカーテン
４    巻取シャフト
５    開閉機
６    三点押しボタンスイッチ  
６ａ  三点押しボタンスイッチ（電気回路図）
７    シャッター制御盤
７ａ  シャッター制御盤（電気回路図）
８    リミットスイッチ
８ａ  リミットスイッチ（電気回路図）  
１０  中継制御装置
１１  ＣＰＵ
１２  出力ユニット
１３  第一入力部
１４  第二入力部
１５  ドライバ回路
２０  ＨＡ操作装置
【図１】
2010007403.tif 000003
【図２】
2010007403.tif 000004
【図３】
2010007403.tif 000005
【図４】
2010007403.tif 000006